(57)【要約】　　　（修正有）【課題】常に十分な量の浄化水を貯めることができ、フィルタカートリッジの交換やタンクなどの洗浄が簡単にできる自然流下式の浄水装置を提供する。【解決手段】ベース５と、ベースの上に配置され、かつ浄化水２１を収容するための下部タンク６と、下部タンクの上にその開放された上部を閉塞するように配置され、かつ原水を収容するための上部タンク７と、上側タンクに装着されるフィルタカートリッジ３４と、蓋８とを備え、上部タンクの原水２９が、その重力によってフィルタカートリッジを通り、浄化されて下部タンク内に流れる。上部タンクは上端が所定の高さに開口する上側排水通路３６を有し、下部タンクが上端が所定の高さに開口する下側排水通路２４を有し、上側排水通路下端の連結部３９が、下側排水通路の上端開口に緩やかに挿入され、かつその先端に切欠きを有する。【選択図】　　図３
0003098392.tif 000002
【実用新案登録請求の範囲】
【請求項１】
ベースと、前記ベースの上に配置され、給水栓を有し、その上部を全面開放した箱形をなし、かつその中に浄化水を収容するための下部タンクと、前記下部タンクの上にその開放された前記上部を閉塞するように配置され、その上部を全面開放した箱形をなし、かつその中に原水を収容するための上部タンクと、前記上側タンクに装着されるフィルタカートリッジと、前記上部タンクの開放された前記上部を閉塞するための蓋とを備え、前記上部タンクに収容された前記原水が、その重力によって前記フィルタカートリッジを通り、浄化されて前記下部タンク内に流れるようになっており、
前記上部タンクが、その上端が前記上部タンク内の所定の高さに開口する上側排水通路を有し、かつ前記下部タンクが、その上端が前記下部タンク内の所定の高さに開口する下側排水通路を有し、前記上側排水通路下端の連結部が、前記下側排水通路の前記上端開口に緩やかに挿入されると共に、前記連結部の先端または前記下側排水通路の前記上端に切欠きが設けられ、前記切欠きと前記下側排水通路上端または前記連結部先端との間に、前記下部タンク内に直接開口する隙間が形成されていることを特徴とする浄水装置。
【請求項２】
前記ベースが、その正面側に固定して設けられた脚と、後側にその長さを調整可能に設けられた脚とを有することを特徴とする請求項１に記載の浄水装置。
【請求項３】
前記上部タンクが、外部の給水源に接続されていることを特徴とする請求項１または２に記載の浄水装置。
【考案の詳細な説明】
【０００１】
【考案の属する技術分野】
本考案は、例えば台所の流し台などに設置され、水道水などの原水から飲用及び調理用の浄化水を生成するための据置型の浄水装置に関する。
【０００２】
【従来の技術】
従来より、水道水から残留塩素や有害物質、ゴミを除去し、また更に活性化することによって、より清浄で美味しい水を飲用及び調理用に供するために、家庭用及び業務用に様々な浄水装置が開発され、市販されている。これらの浄水装置には、水道の蛇口に直結したり蛇口から分岐し、蛇口から流れ出る水圧でフィルタカートリッジを通過させて濾過・浄化するタイプのものや、一旦容器に貯めた原水をその重力で自然に流下させてフィルタカートリッジを通過させて濾過・浄化するタイプのものがある。後者の自然流下式の浄水装置が、例えば特許文献１及び２に記載されている。
【特許文献１】特開２０００−１１６５２０号公報
【特許文献２】特開２００２−７９２４０号公報
【考案が解決しようとする課題】
しかしながら、自然流下式の浄水装置は、水道直結型のものと異なり、水を少ない流量で長時間を掛けてフィルタカートリッジに通すため、十分な濾過・浄化効果が得られるという利点がある反面、必要な量の浄化水を予め貯めておかなければならない、という問題がある。また、流水による自浄効果が期待できないから、浄化水を貯めるタンクなどを定期的に洗浄して清潔に維持する必要がある。そのため、フィルタカートリッジの交換だけでなく、タンクなどを簡単に取り外して洗浄できることも含めて、取扱い性・メンテナンス性に優れた簡単な構造が要求される。
【０００３】
他方、一般家庭の台所、特に集合住宅の台所は、流し台が比較的狭く、大きな容量のタンクを置くことが困難な場合がある。また、上記特許文献１に記載されるような、タンクを持ち運びできる可搬型の浄水装置は、タンクの容量が比較的小さく、常に十分な量の浄化水を貯めておくことが困難なだけでなく、水を補充する毎に蓋を開けて、補充する水の量を確認しながら作業を行わなければならず、面倒であるという問題がある。
【０００４】
そこで本考案は、上述した従来の問題点を解消するためになされたものであり、その目的は、常に十分な量の浄化水を貯めておくことができ、フィルタカートリッジの交換やタンクなどの洗浄を簡単に行うことができ、取扱い性・メンテナンス性に優れた自然流下式の浄水装置を提供することにある。
【０００５】
更に本考案の目的は、集合住宅の台所のような狭い場所であっても、その空間を有効に利用して簡単に設置することができる自然流下式の浄水装置を提供することにある。
【０００６】
【課題を解決するための手段】
本考案によれば、上記目的を達成するために、ベースと、前記ベースの上に配置され、給水栓を有し、その上部を全面開放した箱形をなし、かつその中に浄化水を収容するための下部タンクと、前記下部タンクの上にその開放された前記上部を閉塞するように配置され、その上部を全面開放した箱形をなし、かつその中に原水を収容するための上部タンクと、前記上側タンクに装着されるフィルタカートリッジと、前記上部タンクの開放された前記上部を閉塞するための蓋とを備え、前記上部タンクに収容された前記原水が、その重力によって前記フィルタカートリッジを通り、浄化されて前記下部タンク内に流れるようになっており、
前記上部タンクが、その上端が前記上部タンク内の所定の高さに開口する上側排水通路を有し、かつ前記下部タンクが、その上端が前記下部タンク内の所定の高さに開口する下側排水通路を有し、前記上側排水通路下端の連結部が、前記下側排水通路の前記上端開口に緩やかに挿入されると共に、前記連結部の先端または前記下側排水通路の前記上端に切欠きが設けられ、前記切欠きと前記下側排水通路上端または前記連結部先端との間に、前記下部タンク内に直接開口する隙間が形成されていることを特徴とする浄水装置が提供される。
【０００７】
このように構成することにより、上部タンク及び下部タンクを簡単に取り外し、フィルタカートリッジの交換だけでなく、タンクの洗浄などのメンテナンスを簡単に行うことができる。また、上部タンクに収容した原水または下部タンクに収容した浄化水が、各タンクの貯水容量を超えても、それぞれ上側排水通路の上端開口から、または上側排水通路下端の連結部と下側排水通路上端との隙間から、排出することができる。
【０００８】
或る実施例では、前記ベースが、その正面側に固定して設けられた脚と、後側にその長さを調整可能に設けられた脚とを有し、調整可能な脚の長さを上下に調整することによってベースの上面を前後に略水平にすることができ、凹凸のある場所でも、浄水装置全体を安定して設置することができる。
【０００９】
また、或る実施例では、前記上部タンクが、水道水や井戸水の蛇口など、外部の給水源に接続されていることにより、十分な量の原水を供給して、常に必要な浄化水を確保することができる。
【００１０】
【考案の実施の形態】
図１及び図２は、本考案による好適実施例の浄水装置１を、流し台即ちシンク２の縁３の上に、その周囲の壁４との間の狭幅の空間を利用して設置した状態を示している。浄水装置１は、シンク２の縁３の上に載置されるベース５と、その上に配置される下部タンク６と、その上に重ねられる上部タンク７と、その上部に配置される蓋８とを有する。下部タンク６の正面には、下部中央に設けた大きな凹み９の中に、回転レバーを有する蛇口型の給水栓１０が突設されている。上部タンク７の側面上端付近には、ジョイント１１を用いて取水パイプ１２が接続されている。取水パイプ１２の他端は、水道の蛇口などの外部の給水源に接続され、水道水、井戸水などの原水を上部タンク７の中に供給することができる。
【００１１】
ベース５は、シンク２の縁３に沿って左右に或る長さ延長し、かつ前後に該縁と略同じ幅を有する細長い板状をなし、その下面には、正面側に左右２個の固定された脚１３と、後側の中央にその長さを調整可能な１個の脚１４とを有する。ベース５は、脚１３をシンク２の縁３の壁側段差１５上に載せ、その長さを上下に調整することによってベース５の上面を前後に略水平にする。ベース５の背面には、図４に示すように、左右２個の公知の吸着盤１６が、その中央突起１７をベース背面の取付孔１８に嵌め込んで取外可能に取り付けられ、これを壁４の平滑面に吸着させることによって、ベース５を縁３上の所定位置に固定している。
【００１２】
図３に示すように、ベース５の上面には、左右２個の短円柱状突起１９が形成され、これに対し、下部タンク６の下面には、突起１９に対応する位置にかつこれを補完する形状の左右２個の有底円筒状孔２０が形成されている。従って、下部タンク６は、その孔２０に突起１９を嵌合させることにより、ベース５上面の所定位置に位置決めしてかつ該位置から容易にずれないように配置される。
【００１３】
下部タンク６は、図３及び図４に示すように、その中に浄化水２１を貯めるために、全体としてベース５と略同じ細長い平面形状で、上部を全面開放した箱形形状を有する。下部タンク６内部は、その底面２２の略中央に半円形状の凹み２３が給水栓１０の高さに整合させて形成されている。底面２２は、凹み２３に向けて僅かに下向きに傾斜しており、下部タンク６内の浄化水２１が全部中央に流れて凹み２３に集められ、給水栓１０を通して取り出すことができるようになっている。
【００１４】
また下部タンク６内部には、取水パイプ１２が接続される側とは反対側の一方の隅部に下側排水通路２４が一体に形成されている。下側排水通路２４は、下部タンク６の略全高に亘って上下に延長し、その上端２５が下部タンク６上端より少し低い位置に開口すると共に、その下端２６は、先端部分がベース５の排水孔２７に突入している。排水孔２７には、その先端をシンク２の中に向けて開口させた排水パイプ２８が接続されている。
【００１５】
上部タンク７は、その中に原水２９を貯めるために、全体として下部タンク６と略同じ平面形状で、上部を全面開放した箱形形状を有する。下部タンク６の上端には、その全周に沿って細溝３０が形成され、上部タンク７の下端には、その全周に沿って細溝３０に対応する位置及び形状・寸法の突条３１と、それより内側に突壁３２とが形成されている。上部タンク７は、突壁３２を下部タンク６内周面の直ぐ内側に沿って嵌め込み、かつ突条３１を下部タンク６の細溝３０に嵌合させることによって、下部タンク６上に位置決めして固定される。
【００１６】
上部タンク７の内部には、その底面３３にフィルタカートリッジ３４の装着孔３５が、本実施例では図中右寄りの位置に開設されている。本実施例のフィルタカートリッジ３４は概ね円筒状をなす自然流下式のもので、中には例えば脱塩素材層、活性炭層、活性化層などが設けられており、その上端開口から水を取り入れて下端開口から排出する間に濾過しかつ浄水する。しかしながら、フィルタカートリッジ３４は、これに限定されるものでなく、基本的に自然流下式のものであれば、どのようなものでもよい。
【００１７】
フィルタカートリッジ３４は、その上端開口が装着孔３５の開口上縁と同じかまたはそれより低い位置にくるように、装着孔３５内に挿脱可能に装着される。また、上部タンク７内部は、底面３３が装着孔３５に向けて僅かに下向きに傾斜している。このため、上部タンク７内の原水２９は、その全部が装着孔３５に集められ、フィルタカートリッジ３４を通過して濾過・浄化され、下部タンク６内に貯められるようになっている。
【００１８】
また、上部タンク７内部には、下部タンク６の下側排水通路２４に対応する隅部に上側排水通路３６が一体に形成されている。上側排水通路３６は、その上端３７が、その反対側の側壁に設けた原水取入口３８と略同じ高さに開口している。従って、上部タンク７内の原水２９の量が、図中想像線Ｌ１で示す上端開口３７の高さを超えると、上側排水通路３６から排出される。
【００１９】
上側排水通路３６の下端には、下側排水通路２４との連結部３９が下部タンク６内に突出するように設けられている。連結部３９は、図５に良く示すように、その外径が下側排水通路２４の内径より幾分小さく、上部タンク７を下部タンク６上に重ねたときに、その先端が下側排水通路２４内にその上端開口２５から少しの長さだけ緩やかに挿入される。更に連結部３９には、周方向に約１／４円の切欠き４０が、その先端から下側排水通路２４の上端開口２５より少し高い位置まで形成されている。
【００２０】
従って、上側排水通路３６と下側排水通路２４とは、連結部３９において部分的に重なると共に、切欠き４０によって上側排水通路３６が部分的に下部タンク６内に直接開口する隙間が形成される。そのため、下部タンク６内部は、その上部が上部タンク７で閉塞されているにも拘わらず、大気圧に維持されるので、浄化水２１を給水栓１０から無理なく吐出させることができると共に、浄化水２１の量が、図中想像線Ｌ１で示す上端開口２５の高さを超えると、切欠き４０を通って下側排水通路２４から排出される。
【００２１】
また、蓋８には、浄水装置１の補助固定手段が設けられている。この補助固定手段は、ベース５の吸着盤１６と同じ公知の吸着盤４２と、固定具４３と、蓋８の後縁に突設された引掛部４４とから構成される。吸着盤４２を壁４の平滑面に吸着させ、その中央突起４５を固定具４３のスリット４６に挟み込んで一体化し、固定具４３下端のフック４７を引掛部４４の係合穴（図示せず）に係着することによって、浄水装置１が地震などによってシンク２側に容易に倒れないようにする。
【００２２】
以上、本考案の好適実施例について詳細に説明したが、本考案の浄水装置は上記実施例に限定されるものでなく、その技術的範囲内で様々な変形・変更を加えて実施することができる。例えば、上記実施例では、上側排水通路３６の連結部３９に切欠きを設けたが、下側排水通路２４の上端開口２５に同様の切欠きを形成することによっても、同じ作用効果が得られる。
【図面の簡単な説明】
【図１】本考案による浄水装置の好適実施例を、流し台の縁に設置した状態で示す正面図。
【図２】図１の浄水装置の側面図。
【図３】図２のＩＩＩ−ＩＩＩ線における浄水装置の断面図。
【図４】図１のＩＶ−ＩＶ線における浄水装置の断面図。
【図５】図２における上部タンクの第１排水通路と下部タンクの第２排水通路との連結部分を示す部分拡大図。
【符号の説明】
１…浄水装置、２…シンク、３…縁、４…壁、５…ベース、６…下部タンク、７…上部タンク、８…蓋、１０…給水栓、２１…浄化水、２４…下側排水通路、２９…原水、３４…フィルタカートリッジ、３６…上側排水通路、３９…連結部、４０…切欠き
【図１】
0003098392.tif 000003
【図２】
0003098392.tif 000004
【図３】
0003098392.tif 000005
【図４】
0003098392.tif 000006
【図５】
0003098392.tif 000007